(57)【要約】【課題】地震の際に家具の転倒を確実に防止することができる家具転倒防止台を提供する。【解決手段】家具外周土台２ａを支持する矩形の土台枠１の幅方向に複数の荷重受け部材３が間隔をおいて平行に固定され、荷重受け部材３は土台枠１の前面から張り出した張り出し部４と土台枠１に固定する固定部５とが一体に形成され、固定部５の端部に家具外周土台２ａの後面に固定するための固定板６が固定されている家具転倒防止台。【選択図】図１
0003112009.tif 000002
【実用新案登録請求の範囲】
【請求項１】
家具外周土台を支持する矩形の土台枠の幅方向に複数の荷重受け部材が間隔をおいて平行に固定され、前記荷重受け部材は前記土台枠の前面から張り出した張り出し部と前記土台枠に固定する固定部とが一体に形成され、前記固定部の端部に前記家具外周土台の後面に固定するための固定板が固定されていることを特徴とする家具転倒防止台。
【請求項２】
前記荷重受け部材に形成された中空部に圧縮スプリングが配置されるとともに荷重受け部材の端部から前方へ前記圧縮スプリングの伸びにより突出する腕木が配置され、前記圧縮スプリングを圧縮状態に保持し、且つ前記家具外周土台の傾きにより回転して前記圧縮スプリングの圧縮状態を解除する回転自在のストッパ部材を備え、さらに前記荷重受け部材を挟んで固定配置された一対のパイプ内に圧縮スプリングにより前記ストッパ部材の前部とこれに接する家具土台枠を支持する回転板受木を設けたことを特徴とする請求項１記載の家具転倒防止土台。
【考案の詳細な説明】
【技術分野】
【０００１】
本考案は、地震の際に家具が転倒するのを防止することができる家具転倒防止台に関する。
【背景技術】
【０００２】
強い地震の場合、大きいゆれにより家具が転倒して人間を負傷させたり、収納物が飛び出して損傷したり散乱したりする。
【０００３】
そこで、家具の転倒を防止するため、各種の考案が提案されている。例えば、特許文献１には、箱形家具の底部に設けられた飛び出し部、飛び出し部を固定する固定装置、飛び出し部を押し出すバネおよび地震を感知する感震器で構成され、感震器で地震を感知すると、固定装置が解除されて押出バネにより飛び出し部を前方に押し出して箱形家具の転倒を防止する転倒防止装置が開示されている。
【０００４】
また、特許文献２には、コイルバネで伸縮する伸縮脚、伸縮脚に係止させるストッパーピン、ストッパーピンに係止する爪および爪を外す振り子で構成される家具受台において、地震により振り子がゆれると、ストッパーピンから爪が外れてコイルバネにより伸縮脚を前方に押し出して箱形家具の転倒を防止する転倒防止装置が開示されている。
【特許文献１】特開平１０−２４８６６８号公報
【特許文献２】特開平９−７５１５９号公報
【考案の開示】
【考案が解決しようとする課題】
【０００５】
前記従来の転倒防止装置では、感震器が作動しないために固定装置を作動させずに飛び出し部が出なかったり、あるいは振り子がゆれないために伸縮脚を出なかったりするため、確実に家具の転倒を防止できないおそれがあった。
【０００６】
そこで、本考案は、地震の際に家具の転倒を確実に防止することができる家具転倒防止台を提供するものである。
【課題を解決するための手段】
【０００７】
本考案の家具転倒防止台は、家具外周土台を支持する矩形の土台枠の幅方向に複数の荷重受け部材が間隔をおいて平行に固定され、前記荷重受け部材は前記土台枠の前面から張り出した張り出し部と前記土台枠に固定する固定部とが一体に形成され、前記固定部の端部に前記家具外周土台の後面に固定するための固定板が固定されていることを特徴とする。
【０００８】
また、前記構成において、前記荷重受け部材に形成された中空部に圧縮スプリングが配置されるとともに荷重受け部材の端部から前方へ前記圧縮スプリングの伸びにより突出する腕木が配置され、前記圧縮スプリングを圧縮状態に保持し、且つ前記家具外周土台の傾きにより回転して前記圧縮スプリングの圧縮状態を解除する回転自在のストッパ部材を備え、さらに前記荷重受け部材を挟んで固定配置された一対のパイプ内に圧縮スプリングにより前記ストッパ部材の前部とこれに接する家具土台枠を支持する回転板受木を設けたことを特徴とする。
【考案の効果】
【０００９】
本考案は、地震のゆれにより家具が傾いても張り出し部により重心の移動が規制されるので、転倒を確実に防止することができる。
【００１０】
また、腕木が張り出し部から伸びることにより張り出し部が延長されて、転倒を確実に防止することができる。
【考案を実施するための最良の形態】
【００１１】
本発明の実施例について図面を参照して説明する。
【実施例１】
【００１２】
図１は本考案の家具転倒防止台の第１実施例を示し、（ａ）は平面図、（ｂ）は側面図、（ｃ）は正面図、図２は第１実施例の家具転倒防止台を家具に取り付けた状態を示す斜視図である。
【００１３】
図１及び図２において、本実施例の家具転倒防止台は、矩形の土台枠１と、この土台枠１に載せる家具２の前後方向に沿って、地震のゆれにより傾いて移動する重心を受けることができる一対の荷重受け部材３が間隔をおいて平行に固定されている。
【００１４】
土台枠１は家具外周土台２ａが載る幅の枠により家具外周土台２ａとほぼ合同形にして家具２が安定して支持されるように形成する。
【００１５】
荷重受け部材３は、土台枠１の前面から張り出した張り出し部４と、土台枠１を家具外周土台２ａへ固定する固定部５が一体に形成される。荷重受け部材３の高さは土台枠１と同一高さにして、家具２が土台枠１と固定部５の上面に安定して支持されるようにする。張り出し部４の長さは、地震により傾いて家具２の重心が移動しても、家具の高さや形状を考慮して転倒を防止できる長さとし、一般的な箱形家具の場合、土台枠１の幅の約半分から土台枠１の幅程度でよい。固定部５の後端部には、土台枠１の後面に固定するために鋼製の固定板６がねじ釘で固定される。
【００１６】
次ぎに、本実施例の家具転倒防止台の使用方法について説明する。
【００１７】
土台枠１に家具２あるいは家具２の下段を載せた後、荷重受け部材３の固定部５の後端部の固定板６を家具外周土台２ａにねじ釘で固定する。次いで、作業しやすいように家具２を後側に倒して荷重受け部材３の固定部５の裏側からねじ釘をねじ込んで家具外周土台２ａに固定部５の前後を固定する。
【００１８】
荷重受け部材３の家具外周土台２ａへの固定が完了した後に、家具２を起こして所望の場所に配置する。
【００１９】
以上のようにして荷重受け部材３が固定された家具２は、地震のゆれにより傾いても張り出し部４により重心の移動が規制されるので、転倒を防止することができる。
【実施例２】
【００２０】
図３は本考案の家具転倒防止台の別実施例を示す図で、（ａ）は平面図、（ｂ）は正面図、図４（ａ）は本考案の家具転倒防止台のストッパ部材の断面図、（ｂ）は（ａ）の平面図、図５は第２実施例の家具転倒防止台を家具に取り付けた状態を示す斜視図である。
【００２１】
本実施例は地震のゆれにより、張り出し部材４に家具２のゆれにより自動的に突出する腕木８を備えた家具転倒防止台としたものである。
【００２２】
土台枠１は桧などの硬木を使用して家具外周土台２ａの外周と合同形の矩形に形成して、家具外周土台２ａが土台枠１内に収まるように形成する。土台枠１は幕板を兼ねており、土台枠１の前面のつなぎ目は補強幕板カバー１ａで覆って補強する。
【００２３】
土台枠１の幅方向には複数の荷重受け部材３が間隔をおいて平行に固定されている。荷重受け部材３は土台枠１の前側へ張り出す張り出し部４、土台枠１を家具外周土台２ａへ固定する固定部５が一体に形成されている。固定部５には、土台枠１の後面に、家具外周土台２ａを固定するための鋼製の固定板６が固定される。固定板６によりねじ釘で家具外周土台２ａの後面のみを固定して支持する。
【００２４】
図４において、荷重受け部材３は角形鋼管よりなり、角形鋼管内にはコイルスプリング７に押されて張り出し部４の端部から突出する腕木８が内蔵されている。スプリング７の前端には押出板９が固定され、圧縮されたスプリング７は開放により伸びて押出板９が腕木８に当たり、腕木８を前方へ押し出す。平常状態ではスプリング７は、ストッパ部材１０のストッパ板１０ａにより押出板９が移動しないように規制されて圧縮された状態に保持されている。腕木８は、スプリング７の押出により張り出し部４から抜け出るのを防止するために角形鋼管内にワイヤ８ａで連結されている。
【００２５】
ストッパ部材１０は、荷重受け部材３の前側の上部に固定された軸受１１に回転軸１０ｂにより回転自在に軸支された板状の回転板１０ｃを備え、この回転板１０ｃの後部に下向きにスプリング７の押出板９の移動を規制するストッパ板１０ａが設けられ、回転板１０ｃの前部の裏面は回転板受け木１２に接触させる。ストッパ板１０ａは後述する傾斜面１４により回転板１０ｃが傾斜して固定部５から抜け出る長さとする。
【００２６】
回転板受け木１２は、各荷重受け部材３を挟んで固定配置された一対のパイプ１２ａ内に圧縮コイルスプリング１２ｂにより支持され、回転板１０ｃの前部を押し上げる方向に付勢して回転板１０ｃを家具土台２ａの前部に形成された傾斜面１４に接触させて支持するとともに、回転板１０ｃを水平に保持する。なお、回転板１０ｃの後部の端部は、和紙１３で荷重受け部材３に連結し、家具が倒れることのない小さな地震のゆれ、すなわち和紙１３が切れない程度の小さな地震のゆれではストッパ部材１０が作動しないようにしてもよい。
【００２７】
回転板１０ｃが接触する家具土台２ａの前面側の底面は、内側に向かって上方に斜めに切り欠いて傾斜面１４を形成し、これにより地震のゆれにより家具２が前に傾いた際に家具土台２ａの前面側が下がるようにする。
【００２８】
次ぎに、本実施例の家具転倒防止台の使用方法及び動作について説明する。
【００２９】
土台枠１を家具外周土台２ａにセットした後、荷重受け部材３の固定部５の固定板６を家具外周土台２ａの後面にねじ釘で固定する。このとき、ストッパ部材１０の回転板１０ｃが水平に保持され、スプリング７は圧縮され、ストッパ板１０ａにより移動できない状態になっている。これにより、外周土台２ａは、後面で固定支持され、前面が圧縮コイルスプリング１２ｂで上方向に付勢された回転板受け木１２で支持され、地震の揺れにより前面が前方に傾くようになる。
【００３０】
地震により家具２がゆれて前側に傾くと、家具土台２ａに形成された傾斜面１４により家具２の前面が下がり、回転板１０ｃの前面が押し下げられて回転し、和紙１３は切れてストッパ板１０ａが上がって押出板９がスプリング７により押されて腕木８が張り出し部４から突出する。
【００３１】
腕木８が張り出し部４から伸びることにより張り出し部４が延長して、地震のゆれにより家具２が傾いても荷重の移動、即ち重心の移動が規制されるので、転倒を防止することができる。
【図面の簡単な説明】
【００３２】
【図１】本考案の家具転倒防止台の第１実施例を示す図で、（ａ）は平面図、（ｂ）は側面図、（ｃ）は正面図である。
【図２】第１実施例の家具転倒防止台を家具に取り付けた状態を示す斜視図である。
【図３】本考案の家具転倒防止台の第２実施例を示す図で、（ａ）は平面図、（ｂ）は正面図である。
【図４】（ａ）は本考案の家具転倒防止台のストッパ部材の断面図、（ｂ）は（ａ）の平面図を示す。
【図５】第２実施例の家具転倒防止台を家具に取り付けた状態を示す斜視図である。
【符号の説明】
【００３３】
１：土台枠
１ａ：補強幕板カバー
２： 家具
２ａ：家具外周土台
３：荷重受け部材
４：張り出し部
５：固定部
６：固定板
７：スプリング
８：腕木
９：押出板
１０：ストッパ部材
１０ａ：ストッパ板
１０ｂ：回転軸
１０ｃ：回転板
１１：軸受
１２：回転板受け木
１２ａ：パイプ
１２ｂ：スプリング
１３：和紙 
１４：傾斜面
【図１】
0003112009.tif 000003
【図２】
0003112009.tif 000004
【図３】
0003112009.tif 000005
【図４】
0003112009.tif 000006
【図５】
0003112009.tif 000007